(57)【要約】【課題】粒子線治療システムを効率よく運用できるとともに、治療計画に基づいた精度の高い粒子線治療を行うことを目的とする。【解決手段】粒子線の照射を行うために周囲を遮蔽壁４ｗによって囲まれた３つ以上の照射室４と、３つ以上の照射室４から隔てて設けられた、患者Ｋの位置決めを行うための準備室５と、準備室５で位置決めした患者Ｋを３つ以上の照射室４のいずれか（４Ａ、４Ｂ、４Ｃ、・・・）に搬送する患者搬送装置７と、を備え、３つ以上の照射室４のそれぞれは、準備室５に出入口４ｅを対向させて、準備室５を囲むように配置されるとともに、準備室５には３つ以上の照射室４の出入口４ｅのそれぞれ（４ｅＡ、４ｅＢ、４ｅＣ、・・・）に対応する出入口５ｅＡ、５ｅＢ、５ｅＣ、・・・が設けられている【選択図】図１
2014171560.tif 000002
【特許請求の範囲】
【請求項１】
粒子線の照射を行うために周囲を遮蔽体によって囲まれた３つ以上の照射室と、
前記３つ以上の照射室から隔てて設けられた、患者の位置決めを行うための準備室と、
前記準備室で位置決めした患者を前記３つ以上の照射室のいずれかに搬送する患者搬送装置と、を備え、
前記３つ以上の照射室のそれぞれは、前記準備室に出入口を対向させて、前記準備室を囲むように配置されるとともに、前記準備室には前記３つ以上の照射室の出入口のそれぞれに対応する出入口が設けられていることを特徴とする粒子線治療設備。
【請求項２】
前記準備室から前記３つ以上の照射室のそれぞれに至る前記患者搬送装置の経路は、それぞれ曲り角の数が同じになるように設定されていることを特徴とする請求項１に記載の粒子線治療設備。
【発明の詳細な説明】
【技術分野】
【０００１】
本発明は、がん治療等に用いられる粒子線治療設備において、とくに患者の位置決めを照射室から隔てた準備室で行う粒子線治療設備に関する。
【背景技術】
【０００２】
粒子線治療は、治療対象となる患部に荷電粒子のビーム（粒子線）を照射して、患部組織に損傷を与えることにより治療を行うものである。その際、周辺組織にダメージを与えず、患部組織に十分な線量を与えるため、照射線量や照射範囲（照射野）を高精度に制御することが求められている。一方、照射対象である患者についても、想定された体位及び位置に対してずれのないように位置決めすることが求められ、数段階に分けて状態を確認しながら位置決めを行っている。
【０００３】
そのため、位置決めに要する時間は、実際の照射に必要な時間を上回り、一人の患者が照射室を占有する時間が長くなりすぎて、粒子線治療システムを効率的に運用することが困難になる場合があった。そこで、実際に照射が行われる照射室とは別に準備室を設け、準備室内で位置決めした後に、位置決めした患者を載せた寝台を照射室に搬送して治療を行う方法が提案されている（例えば、特許文献１または２参照。）。
【先行技術文献】
【特許文献】
【０００４】
【特許文献１】特開２０００−２８８１０２号公報（段落００１９〜００２３、図１、図２）
【特許文献２】特開２０１２−１４８０２６号公報（段落００１１〜００３４、図１〜図４）
【発明の概要】
【発明が解決しようとする課題】
【０００５】
一方、照射室は、外部への粒子線の漏えいを防止するために、周囲に厚い遮蔽壁を設置する必要があるので、空間効率および資材効率の観点から、隣接する照射室が遮蔽壁を共有するように、複数の照射室が直線状に配置されていた。そのため、一つの準備室で３つ以上の照射室に対応するようにすると、照射室によって準備室からの搬送経路が異なることになり、搬送中の患者のずれが、照射室間で異なる可能性が生ずる。一方、ずれが生じたとしても、そのずれに再現性がある場合は、ずれを考慮した修正等を行うことにより、治療計画に基づいた精度の高い照射を行うこともできる。そのような修正を可能とするために、同じ患者に対して、毎回、同じ照射室を割り当てた場合は、照射室の運用に制限が生じ、粒子線治療システムを効率よく運用することが困難になる。
【０００６】
本発明は、上記のような課題を解決するためになされたもので、粒子線治療システムを効率よく運用できるとともに、治療計画に基づいた精度の高い粒子線治療を行うことを目的とする。
【課題を解決するための手段】
【０００７】
本発明の粒子線治療設備は、粒子線の照射を行うために周囲を遮蔽体によって囲まれた３つ以上の照射室と、前記３つ以上の照射室から隔てて設けられた、患者の位置決めを行うための準備室と、前記準備室で位置決めした患者を前記３つ以上の照射室のいずれかに搬送する患者搬送装置と、を備え、前記３つ以上の照射室のそれぞれは、前記準備室に出入口を対向させて、前記準備室を囲むように配置されるとともに、前記準備室には前記３つ以上の照射室の出入り口のそれぞれに対応する出入口が設けられていることを特徴とする。
【発明の効果】
【０００８】
本発明の粒子線治療設備によれば、準備室から３つ以上の照射室のそれぞれに至る経路が同様になるので、照射室の割り当ての制約がなくなり、粒子線治療システムを効率よく運用できるとともに、治療計画に基づいた精度の高い粒子線治療を行うことを目的とする。
【図面の簡単な説明】
【０００９】
【図１】本発明の実施の形態１にかかる粒子線治療設備の構成を説明するための平面模式図である。
【図２】本発明の実施の形態１にかかる粒子線治療設備の照射室周辺部分、および加速器の構成を説明するための模式図である。
【発明を実施するための形態】
【００１０】
実施の形態１．
以下、本発明の実施の形態１にかかる粒子線治療設備の構成について説明する。図１と図２は、本実施の形態１にかかる粒子線治療設備について説明するためのもので、図１は粒子線治療設備の構成を説明するための平面図と粒子線治療システムにおける粒子線の供給経路を合成した模式図、図２は粒子線治療設備と粒子線治療システムの構成を説明するための図で、照射室と搬送台間での患者の移動の様子を示す模式図と加速器の構成を示す模式図を合わせたものである。
【００１１】
本発明の実施の形態１にかかる粒子線治療設備の特徴は、図１に示すように、粒子線を照射するために周囲を遮蔽壁４ｗで囲まれた３つ以上の照射室４Ａ、４Ｂ、４Ｃ、・・・（まとめて照射室４）を、患者の位置決めのために設けた準備室５に出入口４ｅＡ、４ｅＢ、４ｅＣ、・・・（まとめて出入口４ｅ）を対向させて、囲むように配置し、かつ、準備室５にも各照射室４に対応して、対向する出入口５ｅＡ、５ｅＢ、５ｅＣ、・・・（まとめて出入口５ｅ）を設けるようにしたことである。ここで、粒子線治療設備の説明の前に、加速器を含めた粒子線治療システムについて説明する。
【００１２】
図２に示すように、粒子線治療システムは、粒子線の供給源として、シンクロトロンである円形加速器１（以降、単に加速器と称する）と、照射室４毎に設けられた照射装置３Ａ、３Ｂ、・・・（まとめて照射装置３）と、加速器１と照射装置３とをつなぎ、加速器１から各照射室４の照射装置３に粒子線を輸送する輸送系２と、これら各系統を制御する図示しない制御系統とを備えている。なお、図では、簡略化のため複数ある照射室や照射装置の内の一部のみを示している。
【００１３】
加速器１は、荷電粒子を周回させるための軌道経路となる真空ダクト１１、前段加速器２０から供給された荷電粒子を真空ダクト１１に入射するための入射装置１２、荷電粒子が真空ダクト１１内の周回軌道に沿って周回するよう、荷電粒子の軌道を偏向させるための偏向電磁石１３ａ，１３ｂ，１３ｃ，１３ｄ（まとめて偏向電磁石１３）、周回軌道上の荷電粒子を発散しないように収束させる収束電磁石１４ａ，１４ｂ，１４ｃ，１４ｄ（まとめて収束電磁石１４）、周回する荷電粒子に同期した高周波電圧を与えて加速する高周波加速空洞１５、加速器１内で加速させた荷電粒子を、所定エネルギーを有する粒子線として加速器１外に取り出し、輸送系２に出射するための出射装置１６、出射装置１６から粒子線を出射させるために周回軌道内で共鳴を励起する六極電磁石１７を備えている。さらに、例えば、偏向電磁石１３には、励磁電流を制御する直流電源、高周波加速空洞１５には、高周波電圧を供給するための高周波源というように、各機器には、それぞれを駆動するための図示しない装置が設けられている。
【００１４】
また、前段加速器２０は、図では簡略化のためにひとつの機器のように記載しているが、実際には、陽子、炭素（重粒子）等の荷電粒子（イオン）を発生させるイオン源（イオンビーム発生装置）と、発生させた荷電粒子を初期加速する線形加速器系とを備えている。そして、前段加速器２０から加速器１に入射した荷電粒子は、高周波数の電界で加速され、磁石で曲げられながら、光速の約７０〜８０％まで加速される。
【００１５】
加速器１により加速されて出射された粒子線は、ＨＥＢＴ（高エネルギービーム輸送：High Energy Beam Transport）系と称される輸送系２へと出射される。輸送系２は、粒子線の輸送経路となる真空ダクトと、粒子線のビーム軌道を切替える切替装置である切替電磁石と、粒子線を所定角度に偏向する偏向電磁石とを備えている。これにより、ひとつの加速器１から出射された粒子線を、切替電磁石で必要に応じて軌道を切替えることで、任意の照射室４の照射装置３へ供給することができる。
【００１６】
照射装置３は、輸送系２から供給された粒子線を照射対象の大きさや深さに応じた照射野に成形して患部へ照射するものである。照射装置３には、加速器１から供給された粒子線をビーム軸に対して略垂直な面内の任意の方向に向けて偏向させる走査電磁石、照射対象の厚さに応じて、ブラッグピークの幅を拡大させるためのリッジフィルタ、照射対象の深さ（照射深さ）に応じて、粒子線のエネルギー（飛程）を変えるためのレンジシフタ、場合によっては、マルチリーフコリメータ等の制限器などが設けられ、照射室４毎に設定されたアイソセンタＣＡ、ＣＢ、・・・（まとめてアイソセンタＣ）を基準に、患部に応じた照射野に成形して照射を行っている。
【００１７】
このような粒子線治療システムでの患者の治療台への位置決めは、ｍｍ単位の高精度が要求され、例えば、レーザポインタを用いた粗設定、Ｘ線画像を用いた精密設定というように、段階を踏んで綿密に行われている。そのため、背景技術で説明したように、照射室４内で位置決めを行うと、位置決めに要する時間によって患者一人当たりの照射室の占有時間が長くなり、粒子線治療システムを効率的に運用することが困難になる場合があった。そこで、本実施の形態１にかかる粒子線治療用患者位置決めシステムにおいても、図１に示すように、照射室４とは別に、位置決めを行うための準備室５を設けるようにしている。
【００１８】
そして、特許文献２で示されたように、照射室４および準備室５には、それぞれアイソセンタＣ、仮のアイソセンタＣｖを基準として、患者Ｋを載置するための天板７ｔを固定可能な天板設置部７ｉ（図中、照射室４Ａ内は７ｉＡ、４Ｂ内は７ｉＢと記載）、７ｐを設置している。天板設置部７ｉ、７ｐと搬送台７ｍおよび天板７ｔには、例えば、図２に示すように、天板７ｔの姿勢を維持した状態で、天板７ｔを搬送台７ｍと自在に受け渡しするために、図示しない天板移動装置が設けられている。天板移動装置は、例えば、レールやベアリング、駆動装置等で構成され、天板７ｔが傾くことなく、天板設置部７ｉと搬送台７ｍ間、または天板設置部７ｐと搬送台７ｍ間を滑らかに移動できるようになっている。これにより、天板７ｔに位置決め固定された患者Ｋの姿勢を崩すことなく、天板７ｔを天板設置部７ｉと搬送台７ｍ間、または天板設置部７ｐと搬送台７ｍ間で自在に載せ替えを行うことができる。
【００１９】
このように、照射室４と準備室５に設けた天板設置部７ｉ、７ｐと、搬送台７ｍ、および天板７ｔを備えた患者搬送装置７を用いることにより、準備室５内で位置決め固定した患者を照射室４内に搬送して、粒子線照射を行うことができる。このとき、準備室５内には、図示しないレーザポインタやＸ線撮像装置等が設置されており、レーザポインタによる粗据付などのセッティング、Ｘ線撮像装置等による仮のアイソセンタＣｖに対する精密位置決めを行うことができる。
【００２０】
準備室５で設定された仮のアイソセンタＣｖは、照射室４におけるアイソセンタＣに精密に対応するので、天板７ｔに対する患者Ｋの位置や姿勢が保たれている限り、照射室４においては、治療計画に基づいた精密な照射が可能となる。そして、一人の患者が照射室４で治療している時に、次の患者は準備室５で位置決め作業を行うことができ、粒子線治療システムの利用効率を高めることができる。
【００２１】
しかし、粒子線治療システムにおいては、照射室は、室外への粒子線の漏えいを防止するために周囲を囲むように厚い遮蔽壁を設ける必要がある。そのため、資材効率や空間効率を重視して隣接する照射室間で遮蔽壁を共有して、３つ以上の照射室を直線状に配置することが多い。そのため、一つの準備室で３つ以上の照射室に対応するようにすると、距離や曲がり角の配置といった照射室と準備室を結ぶ搬送経路が他の照射室と異なる照射室が現れる。
【００２２】
一般的に、搬送経路の距離が延びるほど、あるいは、曲がり角等の動作が変化する数や程度が増加するほど、患者が位置ずれする可能性が増大する。そのため、搬送経路の構成が異なると、搬送中の位置ずれの仕方にも違いが生じてくる。つまり、搬送経路が照射室によって異なると、照射室によって搬送中の患者のずれに差が生じることが考えられる。ここで、例えば、毎回同様のずれが生することが予測できるのであれば、ずれを考慮して照射室での載置の仕方を修正する等の対策もとれるが、ずれ自体が変化すれば、そのような対策がとれなくなる。そのため、照射室間でずれに差がある場合、再現性を保つために、同じ患者に対して、毎回、同じ照射室を割り当てた場合、照射室の運用に制約が生じて、粒子線治療システムを効率よく運用することが困難になる。
【００２３】
そこで、本発明の実施の形態１にかかる粒子線治療設備では、各照射室４Ａ、４Ｂ、４Ｃ、・・・から準備室５までの搬送経路ＷｐＡ、ＷｐＢ、ＷｐＣ、・・・（まとめて搬送経路Ｗｐ）が照射室４によって変化しないようにした。詳細を以下に示す。
【００２４】
各照射室４の出入口４ｅを準備室５に対向させて、準備室５を囲むように照射室４を準備室５を中心とする円周上に配置するとともに、準備室５にも、照射室４の出入口４ｅのそれぞれに対応するように、出入口５ｅも円周（できれば照射室４の配置と同心円）を形成するように設ける。そして、準備室５内の天板設置部７ｐから準備室の出入口５ｅのそれぞれまでが同様の経路になるように、例えば、上記円周の中心に天板設置部７ｐを配置する。
【００２５】
ここで、円周上に配置した各照射室４には、いずれも同様の照射方法で照射する照射装置３等が設けられ、周囲を囲む遮蔽壁４ｗによって、迷路状となる内部の通路４ａも、同様に形成されている。そのため、準備室５から各照射室４までの搬送経路ｗｐは、どの照射室４を選んでも同様になる。つまり、その照射室４に搬送しても、経路長や曲がり角の数が同様になるので、準備室５から各照射室４までの搬送経路ｗｐ中での時間や、搬送台７ｍの方向転換や切り返し等の回数も同じになる。その結果、搬送中に患者Ｋや天板７ｔにかかる力の大きさや方向等の履歴は、どの照射室４を選んでも変化せず、患者Ｋにずれ等が生じても、再現性が高くなり、対処が可能になる。
【００２６】
以上のように、本実施の形態１にかかる粒子線治療設備によれば、粒子線の照射を行うために周囲を遮蔽体（遮蔽壁４ｗ）によって囲まれた３つ以上の照射室４と、３つ以上の照射室４から隔てて設けられた、患者Ｋの位置決めを行うための準備室５と、準備室５で位置決めした患者Ｋを３つ以上の照射室４のいずれか（４Ａ、４Ｂ、４Ｃ、・・・）に搬送する患者搬送装置７と、を備え、３つ以上の照射室４のそれぞれは、準備室５に出入口４ｅを対向させて、準備室５を囲むように（例えば、準備室を中心とする円周上に）配置されるとともに、準備室５には３つ以上の照射室の出入口４ｅのそれぞれ（４ｅＡ、４ｅＢ、４ｅＣ、・・・）に対応する出入口５ｅＡ、５ｅＢ、５ｅＣ、・・・が設けられているように構成したので、準備室５から３つ以上の照射室４のそれぞれに至る経路Ｗｐが同様になるので、どの照射室４を割り当てても、ずれ等の再現性があり、照射室４の割り当ての制約がなくなる。その結果、粒子線治療システムを効率よく運用できるとともに、治療計画に基づいた精度の高い粒子線治療を行うことができる。
【００２７】
とくに、準備室５から３つ以上の照射室４のそれぞれに至る患者搬送装置７の経路（搬送経路Ｗｐ）は、それぞれ曲り角の数が同じになるように設定されているので、方向転換や切り返し等による患者への負担も同様になり、より再現性が向上する。
【符号の説明】
【００２８】
１：加速器、２：輸送経路、３：照射装置、４：照射室、４ａ：照射室内通路、４ｄ：遮蔽扉、４ｅ：照射室の出入口、４ｗ：遮蔽壁（遮蔽体）、５：準備室、５ｅ：準備室の出入口、６：共通通路、７：回転台、７：患者搬送装置、  ７ｉ：（照射室内の）天板設置部、７ｍ：天板搬送装置、７ｐ：（準備室内の）天板設置部、７ｔ：天板、
Ｃ：アイソセンタ、Ｃｖ：仮のアイソセンタ、Ｗｐ：搬送経路。
【図１】
2014171560.tif 000003
【図２】
2014171560.tif 000004